(57)【要約】【課題】  部品点数が少なく、簡単に回路基板に接続できるアンテナおよびそのアンテナの実装構造を提供する。【解決手段】  アンテナ４は、磁性材料からなるコア１５と、このコア１５に巻回されたコイル１６と、コア１５の両端部に位置して設けられた合成樹脂製のアンテナケース１７と、このアンテナケース１７の両端部の表面に形成されてコイル１６の巻線１６ａの両端がそれぞれ接続された一対の電極パターン２４とを備え、この一対の電極パターン２４が回路基板の一対の端子に圧接する構成である。従って、コイル１６およびコア１５を覆うアンテナケース１７の両端部の表面に一対の電極パターン２４を形成し、この一対の電極パターン２４にコイル１６の巻線１６ａの両端を接続させ、この状態で一対の電極パターン２４を回路基板の一対の端子に圧接させることにより、ネジなどの締結部材を用いずに、簡単にアンテナ４を回路基板に接続することができる。【選択図】        図３
2009188855.tif 000002
【特許請求の範囲】
【請求項１】
磁性材料からなるコアと、このコアに巻回されたコイルと、前記コアの端部に位置して設けられた樹脂部材と、この樹脂部材の表面に形成されて前記コイルの両端がそれぞれ接続された一対の電極パターンとを備え、
前記一対の電極パターンが回路基板の一対の端子に圧接されてなることを特徴とするアンテナ。
【請求項２】
磁性材料からなるコア、このコアに巻回されたコイル、前記コアの端部に位置して設けられた樹脂部材、およびこの樹脂部材の表面に形成されて前記コイルの両端がそれぞれ接続された一対の電極パターンを備えたアンテナと、  
前記一対の電極パターンが圧接される一対の端子が形成された回路基板と
を備えていることを特徴とするアンテナの実装構造。
【請求項３】
前記回路基板を保持する合成樹脂製のハウジングを備え、このハウジングには、前記アンテナの前記一対の電極パターンを前記回路基板の前記一対の端子にそれぞれ接触させた状態で、前記樹脂部材を前記回路基板に押し付ける押圧部が設けられていることを特徴とする請求項２に記載のアンテナの実装構造。
【請求項４】
前記ハウジングの前記押圧部を前記樹脂部材に押し付ける方向に向けて付勢する付勢部を更に備えていることを特徴とする請求項３に記載のアンテナの実装構造。
【請求項５】
前記アンテナの前記樹脂部材は、前記一対の電極パターンを前記回路基板の前記一対の端子にそれぞれ接触させた状態で、前記回路基板の前記端子が形成された面側を係止する第１の係止部と、前記回路基板の前記端子が形成された面と反対側に位置する面側を係止する第２の係止部とを備えていることを特徴とする請求項２〜４のいずれかに記載のアンテナの実装構造。
【請求項６】
前記アンテナの前記樹脂部材は、前記コアと前記コイルとを囲うアンテナケースであることを特徴とする請求項２〜５のいずれかに記載のアンテナの実装構造。
【請求項７】
前記アンテナの前記樹脂部材は、前記コアの端部のみに設けられたフランジであることを特徴とする請求項２〜５のいずれかに記載のアンテナの実装構造。
【発明の詳細な説明】
【技術分野】
【０００１】
この発明は、電子時計、携帯電話機、携帯情報処理機などの電子機器に用いられるアンテナおよびそのアンテナの実装構造に関する。
【背景技術】
【０００２】
従来、電波時計などの電子時計においては、標準時刻電波を受信するアンテナを備えている。この種のアンテナとしては、特許文献１に記載されているように、コイルをコアに巻き付けた構成のものが知られている。
【特許文献１】特開２００６−１４０６５９
【０００３】
このようなアンテナにおいては、時計ケース内に組み込まれるハウジング内にコイルが巻回されたコアを配置し、このコアの一方の端部にリード基板を配置し、このリード基板に形成された一対の電極パターンにコイルの巻線の両端をそれぞれ半田で接続し、この状態でリード基板を回路基板とハウジングとの間に配置してネジで取り付けることにより、リード基板の各電極パターンを回路基板の各端子に電気的に接続するように構成されている。
【発明の開示】
【発明が解決しようとする課題】
【０００４】
このような従来のアンテナでは、コアの端部に配置されるリード基板の一対の電極パターンにコイルの巻線の両端をそれぞれ半田で接続し、このリード基板を回路基板とハウジングとの間に配置してネジで取り付けるために、回路基板とリード基板とにネジが挿入する貫通孔をそれぞれ設けると共に、ハウジングにネジが螺着するナットなどのネジ受孔部を設ける必要がある。
【０００５】
このため、このような従来のアンテナでは、コイルの巻線の両端をリード基板の一対の電極パターンに半田付けして、コアの端部にリード基板を配置した状態で、コアの端部とリード基板とをハウジングに配置すると共に、このリード基板上に回路基板を配置させ、リード基板の各電極パターンと回路基板の各端子とを対応させると共に、回路基板とリード基板との各貫通孔、およびハウジングのネジ受孔部を全て対応させ、この状態でネジを回路基板とリード基板との各貫通孔に挿入させてハウジングのネジ受孔部に螺着しなければならないため、回路基板に対するアンテナの接続作業が煩雑で面倒であるばかりか、ネジなどの締結部品が必要となり、部品点数が多くなるという問題がある。
【０００６】
この発明が解決しようとする課題は、部品点数が少なく、簡単に回路基板に接続することができるアンテナおよびそのアンテナの実装構造を提供することである。
【課題を解決するための手段】
【０００７】
この発明は、上記課題を解決するために、次のような構成要素を備えている。
請求項１に記載の発明は、磁性材料からなるコアと、このコアに巻回されたコイルと、前記コアの端部に位置して設けられた樹脂部材と、この樹脂部材の表面に形成されて前記コイルの両端がそれぞれ接続された一対の電極パターンとを備え、前記一対の電極パターンが回路基板の一対の端子に圧接されてなることを特徴とするアンテナである。
【０００８】
請求項２に記載の発明は、磁性材料からなるコア、このコアに巻回されたコイル、前記コアの端部に位置して設けられた樹脂部材、およびこの樹脂部材の表面に形成されて前記コイルの両端がそれぞれ接続された一対の電極パターンを備えたアンテナと、前記一対の電極パターンが圧接される一対の端子が形成された回路基板とを備えていることを特徴とするアンテナの実装構造である。
【０００９】
請求項３に記載の発明は、前記回路基板を保持する合成樹脂製のハウジングを備え、このハウジングには、前記アンテナの前記一対の電極パターンを前記回路基板の前記一対の端子にそれぞれ接触させた状態で、前記樹脂部材を前記回路基板に押し付ける押圧部が設けられていることを特徴とする請求項２に記載のアンテナの実装構造である。
【００１０】
請求項４に記載の発明は、前記ハウジングの前記押圧部を前記樹脂部材に押し付ける方向に向けて付勢する付勢部を更に備えていることを特徴とする請求項３に記載のアンテナの実装構造である。
【００１１】
請求項５に記載の発明は、前記アンテナの前記樹脂部材が、前記一対の電極パターンを前記回路基板の前記一対の端子にそれぞれ接触させた状態で、前記回路基板の前記端子が形成された面側を係止する第１の係止部と、前記回路基板の前記端子が形成された面と反対側に位置する面側を係止する第２の係止部とを備えていることを特徴とする請求項２〜４のいずれかに記載のアンテナの実装構造である。
【００１２】
請求項６に記載の発明は、前記アンテナの前記樹脂部材が、前記コアと前記コイルとを囲うアンテナケースであることを特徴とする請求項２〜５のいずれかに記載のアンテナの実装構造である。
【００１３】
請求項７に記載の発明は、前記アンテナの前記樹脂部材が、前記コアの端部のみに設けられたフランジであることを特徴とする請求項２〜５のいずれかに記載のアンテナの実装構造である。
【発明の効果】
【００１４】
この発明によれば、コイルが巻回された磁性材料からなるコアの端部に位置させて樹脂部材を設け、この樹脂部材の表面に形成された一対の電極パターンにコイルの両端をそれぞれ接続させ、この状態で一対の電極パターンを回路基板の一対の端子に圧接させることにより、ネジなどの別部品としての締結部材を用いずに、コイルを回路基板に電気的に接続することができ、このため部品点数が少なく、簡単にアンテナを回路基板に接続することができる。
【発明を実施するための最良の形態】
【００１５】
（実施形態１）
以下、図１〜図９を参照して、この発明を電子腕時計に適用した実施形態１について説明する。
この電子腕時計は、電波時計であり、図１および図２に示すように、時計モジュール１を備えている。この時計モジュール１は、腕時計ケース（図示せず）の内部に組み込まれるものであり、図１および図２に示すように、合成樹脂製のハウジング２を備えている。
【００１６】
このハウジング２には、図１および図２に示すように、時計ムーブメント３、アンテナ４、電池５、および回路基板６などの時計機能に必要な各種の部品が組み込まれている。この場合、ハウジング２の上面には、図１に示すように、ソーラーパネル７が設けられており、このソーラーパネル７の上面には、光透過性を有する文字板８が設けられている。また、ハウジング２の下面側には、図２に示すように、アンテナ４を収納するアンテナ収納部１０、および電池５を電池押え５ａで押えて収納する電池収納部１１が設けられていると共に、このハウジング２の下面には、地板１２が設けられている。
【００１７】
時計ムーブメント３は、図１に示すように、ハウジング２の上面に設けられたソーラーパネル７および文字板８にそれぞれ対応して設けられた貫通孔９を通して、指針軸１３が文字板８の上方に突出し、この突出した指針軸１３の上端部に秒針、分針、時針などの指針１４が取り付けられ、この指針１４が文字板８の上方を運針することにより、時刻を指示するように構成されている。
【００１８】
アンテナ４は、図３〜図８に示すように、磁性材料からなるコア１５と、このコア１５に巻回されたコイル１６と、このコイル１６を囲んでコア１５の両端を覆う合成樹脂製のアンテナケース１７とを備え、これらが図２に示すようにハウジング２の下面側に設けられたアンテナ収納部１０に収納されるように構成されている。この場合、コア１５は、芯部１５ａの両側にそれぞれ鍔部１５ｂが形成された構成になっている。コイル１６は、巻線１６ａをコア１５の芯部１５ａに巻き付けた構成で、巻線１６ａの両端がコア１５の両側の各鍔部１５ｂにそれぞれ延出されている。
【００１９】
アンテナケース１７は、図３〜図８に示すように、上部ケース１８と下部ケース１９とを備えている。上部ケース１８は、図３および図４に示すように、その長さがコア１５の長手方向の長さよりも少し長く、その幅がコイル１６の径方向の幅よりも広い長方形の細長い平板状に形成されている。この上部ケース１８には、図３および図８に示すように、コア１５を除くコイル１６の上側のほぼ半分を収納するコイル収納部２０が上下に貫通して設けられている。
【００２０】
また、下部ケース１９は、図４〜図８に示すように、上部ケース１８と同じ形状で、ほぼ同じ大きさに形成され、上部ケース１８の下側に重なった状態で配置されるように構成されている。この下部ケース１９には、図４〜図８に示すように、コア１５の芯部１５ａを含むコイル１６の下側のほぼ半分を収納するコイル収納部２１と、コア１５の両側の鍔部１５ｂをそれぞれ収納する一対の鍔部収納部２２と、コア１５の両側の各鍔部１５ｂに対応する下部ケース１９の両端部に設けられた一対の接続突起部２３とを備え、これらが合成樹脂によって一体に形成されている。
【００２１】
この場合、コイル収納部２１は、図８に示すように、下部ケース１９の上下に貫通して設けられており、一対の鍔部収納部２２はコア１５の各鍔部１５ａが上側から挿入する凹部状に形成されている。一対の接続突起部２３は、図３〜図７に示すように、コア１５の両側の各鍔部１５ｂに位置する下部ケース１９の両端部における各側面(図６では下辺側の側面)からコア１５の長手方向と直交する方向にそれぞれ突出して形成されている。すなわち、この一対の接続突起部２３は、図２においてハウジング２の中心側に位置する下部ケース１９の両端部における各側面（図７では右側面）の上部からハウジング２の中心側（図７では右側）に向けてそれぞれ突出して形成されている。
【００２２】
また、この下部ケース１９の両側に位置する各端部の表面には、図３〜図７に示すように、コイル１６の巻線１６ａの両端部がそれぞれ半田によって接続される電極パターン２４が形成されている。すなわち、この一対の電極パターン２４は、樹脂成形品にその形状に応じて立体的に金属パターンを形成する技術を用いて、図５および図７に示すように、コア１５の両側の各鍔部１５ｂに位置する下部ケース１９の両端における下面からハウジング２の中心側に位置する先端面を経て、一対の接続突起部２３の表面、つまり一対の接続突起部２３の下面から先端面を経て上面に亘って連続して形成されている。
【００２３】
これにより、アンテナ４は、図３〜図８に示すように、アンテナケース１７によってコイル１６を囲んでコア１５の両端を覆い、この状態でコイル１６の巻線１６ａの両端部がそれぞれ一対の電極パターン２４に半田によって接続されることにより、これらコア１５、コイル１６、アンテナケース１７が一体化されてユニット化された構成になっている。
【００２４】
すなわち、このアンテナ４は、アンテナケース１７の上部ケース１８と下部ケース１９とを重ね合わせる際、下部ケース１９のコイル収納部２１内にコア１５の芯部１５ａを含むコイル１６の下側のほぼ半分を収納すると共に、下部ケース１９の一対の鍔部収納部２２内にコア１５の両側の鍔部１５ｂをそれぞれ収納し、この状態で上部ケース１８を下部ケース１９上に重ね合わせて、上部ケース１８のコイル収納部２０内にコイル１６の上側のほぼ半分を収納することにより、上部ケース１８と下部ケース１９とでコア１５とコイル１６とを包み込んだ構成になっている。
【００２５】
ところで、ハウジング２内に組み込まれた回路基板６には、図９に示すように、アンテナ４の一対の電極パターン２４が接触する一対の端子２５が設けられている。すなわち、この一対の端子２５は、図１、図２、図９に示すように、アンテナケース１７の両側に設けられた一対の接続突起部２３に対応する箇所における回路基板６の下面に設けられ、一対の接続突起部２３の上面にそれぞれ位置する一対の電極パターン２４がそれぞれ接触するように構成されている。これにより、アンテナ４のコイル１６と回路基板６の一対の端子２５とが電気的に接続されている
【００２６】
また、ハウジング２には、図９に示すように、アンテナ４の一対の電極パターン２４を回路基板６の一対の端子２５に接触させた状態で、アンテナケース１７の一対の接続突起部２３を回路基板６に向けてそれぞれ押し付ける一対の押圧部２６が設けられている。この一対の押圧部２６は、図９に示すように、ハウジング２のアンテナ収納部１０の内側面からアンテナケース１７の両側に位置する一対の接続突起部２３の下面に向けて延出された一対の弾性アーム２６ａと、この一対の弾性アーム２６ａの先端部の上面に設けられた一対の押圧突起部２６ｂとを備えている。
【００２７】
この一対の押圧部２６は、弾性アーム２６ａの弾性力によって押圧突起部２６ｂが一対の接続突起部２３をそれぞれ回路基板６に向けて押圧することにより、一対の接続突起部２３に設けられた一対の電極パターン２４を回路基板６の一対の端子２５に圧接させるように構成されている。さらに、ハウジング２の下面に設けられた地板１２は、ステンレスなどの金属板からなり、この地板１２には、図１および図２に示すように、ハウジング２の一対の押圧部２６をアンテナケース１７の一対の接続突起部２３に押し付ける方向に向けて付勢する一対のばね部２７が設けられている。
【００２８】
この一対のばね部２７は、図２に示すように、地板１２の一側部からアンテナケース１７の両側に向けてそれぞれ延びた板ばねであり、図９に示すように、ほぼ「へ」字形状に折り曲げられ、その最も高い上部がそのばね力で押圧部２６の弾性アーム２６ａを押し付けることにより、一対の接続突起部２３に設けられた一対の電極パターン２４を回路基板６の一対の端子２５に圧接させる押圧部２６による圧接力を高めるように構成されている。
【００２９】
次に、アンテナ４をハウジング２に組み付けて回路基板６に接続する場合について説明する。
この場合には、予め、アンテナ４を組立てる。このときには、コイル１６をコア１５の芯部１５ａに巻回し、このコア１５とコイル１６とをアンテナケース１７の下部ケース１９に設けられたコイル収納部２１および鍔部収納部２２にそれぞれ収納し、この状態でアンテナケース１７の上部ケース１８を下部ケース１９に重ね合わせてコイル１６およびコア１５を上部ケース１８と下部ケース１９とで包み込む。この状態で、コイル１６の巻線１６ａの両端をアンテナケース１７の両端部に形成された一対の電極パターン２４に半田で接続する。これにより、アンテナ４が一体化された状態で組立てられてユニット化される。
【００３０】
また、ハウジング２には、回路基板６、時計ムーブメント３、ソーラーパネル７、文字板８、および地板１２を組み付ける。この状態で、ユニット化されたアンテナ４をハウジング２のアンテナ収納部１０内に収納する。このときには、図９に示すように、アンテナケース１７の両側に設けられた一対の接続突起部２３に設けられた一対の電極パターン２４を回路基板６の一対の端子２５に対応させて、アンテナケース１７の一対の接続突起部２３を回路基板６とハウジング２の押圧部２６との間に挿入させながら、アンテナケース１７をハウジング２のアンテナ収納部１０内に収納する。
【００３１】
これにより、アンテナケース１７の一対の接続突起部２３に設けられた一対の電極パターン２４が回路基板６の一対の端子２５に接触した状態で、ハウジング２の押圧部２６によって一対の接続突起部２３が回路基板６に押え付けられると共に、地板１２のばね部２７によっても一対の接続突起部２３が回路基板６に押え付けられる。このため、一対の接続突起部２３に設けられた一対の電極パターン２４が回路基板６の一対の端子２５に圧接され、これによりアンテナ４のコイル１６が回路基板６と電気的に接続される。
【００３２】
このように、この電子腕時計によれば、アンテナ４が、磁性材料からなるコア１５と、このコア１５に巻回されたコイル１６と、コア１５の両端部に位置して設けられた合成樹脂製のアンテナケース１７と、このアンテナケース１７の両端部の表面に形成されてコイル１６の巻線１６ａの両端部がそれぞれ接続された一対の電極パターン２４とを備え、この一対の電極パターン２４が回路基板６の一対の端子２５に圧接する構成であるから、ネジなどの別部品としての締結部材を用いずに、アンテナ４を回路基板６に電気的に接続することができる。
【００３３】
すなわち、このアンテナ４は、コイル１６が巻回された磁性材料からなるコア１５を覆うアンテナケース１７の両端部の表面に一対の電極パターン２４を形成し、この一対の電極パターン２４にコイル１６の巻線１６ａの両端をそれぞれ接続させ、この状態で一対の電極パターン２４を回路基板６の一対の端子２５に圧接させることにより、ネジなどの別部品としての締結部材を用いずに、コイル１６を回路基板６に電気的に接続することができるので、部品点数が少なく、簡単にアンテナ４を回路基板６に接続することができる。
【００３４】
この場合、アンテナケース１７は、上部ケース１８と下部ケース１９とを備え、この上部ケース１８と下部ケース１９とでコア１５とコイル１６とを囲う構成であるから、コア１５およびコイル１６を保護することができると共に、この状態でコイル１６の巻線１６ａの両端をアンテナケース１７に形成された一対の電極パターン２４に接続することにより、アンテナ４をユニット化することができる。このため、コイル１６の巻線１６ａの両端を一対の電極パターン２４に接続しても、その接続状態を確実に且つ安定して維持することができるので、接続作業および組立作業の向上を図ることができる。
【００３５】
また、このアンテナ４の実装構造では、回路基板６を保持する合成樹脂製のハウジング２に、一対の電極パターン２４を回路基板６の一対の端子２５にそれぞれ接触させた状態で、アンテナケース１７の一対の接続突起部２３を回路基板６に押し付ける押圧部２６が設けられているので、一対の電極パターン２４を回路基板６の一対の端子２５に確実に且つ強固に圧接させることができる。この場合、押圧部２６は、ハウジング２に取り付けられた地板１２のばね部２７によって、アンテナケース１７の接続突起部２３を押し付ける方向に向けて付勢されているので、より一層、一対の電極パターン２４と回路基板６の一対の端子２５とを確実に且つ強固に圧接させることができる。
【００３６】
さらに、このアンテナ４の実装構造では、アンテナケース１７の両端部に一対の接続突起部２３が突出して設けられ、一対の電極パターン２４がアンテナケース１７の両端部から一対の接続突起部２３に亘って連続して設けられているので、一対の接続突起部２３を回路基板６と押圧部２６との間に差し込むだけで、一対の電極パターン２４と回路基板６の一対の端子２５とを確実に且つ強固に圧接させることができる。このため、アンテナ４を回路基板６に簡単に且つ確実に接続することができると共に、一対の接続突起部２３に一対の電極パターン２４が形成されていることにより、回路基板６に対する接続部分の厚みを薄くすることができ、これにより時計モジュール１全体の薄型化をも図ることができる。
【００３７】
なお、上記実施形態１では、一対の電極パターン２４をアンテナケース１７の両端に設けられた一対の接続突起部２３の下面から先端面を経て上面に亘って形成した場合について述べたが、これに限らず、例えば、図１０に示す変形例のように、アンテナ４を上下反転させた状態でハウジング２に組み付ける場合には、一対の電極パターン２４をアンテナケース１７の両端部の表面（図１０では上面）から一対の接続突起部２３の上面のみに連続させて形成すれば良い。
【００３８】
（実施形態２）
次に、図１１〜図１３を参照して、この発明を電子腕時計に適用した実施形態２について説明する。なお、図１〜図９に示された実施形態１と同一部分には同一符号を付して説明する。
この電子腕時計のアンテナ３０は、コア１５の両端部にそれぞれフランジ３１を設け、この一対のフランジ３１に一対の電極パターン２４を形成した構成であり、これ以外は実施形態１とほぼ同じ構成になっている。
【００３９】
すなわち、一対のフランジ３１は、合成樹脂からなり、図１３に示すように、コア１５の両端の各鍔部１５ｂがそれぞれ嵌着する鍔部嵌合穴３１ａが設けられた構成になっている。また、このフランジ３１におけるハウジング２の中心側（図１１では手前側）の側面（図１２では右側）には、図１１および図１２に示すように、回路基板６における一対の端子２５が形成された面側(図１２では下面側)を係止する第１の係止部３２と、回路基板６における一対の端子２５が形成された面と反対側に位置する面側（図１２では上面側）を係止する第２の係止部３３とが一体に設けられている。
【００４０】
この場合、第１の係止部３２は、図１１および図１２に示すように、フランジ３１の側面（図１１では手前側の側面）におけるコイル１６側に位置する下部からハウジング２の中心側（図１１では手前側）に向けて突出して形成され、回路基板６の端子２５が形成された下面を係止して押えるように構成されている。この第２の係止部３３は、フランジ３１の側面（図１１では手前側の側面）におけるコイル１６から離れた端部側の上部からハウジング２の中心側（図１１では手前側）に向けて突出して形成され、回路基板６の端子２５が形成された下面と反対側に位置する上面を係止して押えるように構成されている。
【００４１】
これにより、回路基板６は、その下面が第１の係止部３２によって押えられ、上面が第２の係止部３３によって押えられることにより、第１、第２の各係止部３２、３３の間に挟み付けられるように構成されている。また、一対の電極パターン２４は、実施形態１と同様、樹脂成形品にその形状に応じて立体的に金属パターンを形成する技術を用いて、図１１および図１２に示すように、各フランジ３１の下面からそれぞれ第１の係止部３２の下面に延び、この第１の係止部３２の下面から第１の係止部３２の先端面を経て第１の係止部３２の上面に亘って連続して形成され、この第１の係止部３２の上面に形成された部分の各電極パターン２４が回路基板６の一対の端子２５に対応してそれぞれ接触するように構成されている。
【００４２】
次に、このアンテナ３０をハウジング２に組み付けて回路基板６に接続する場合について説明する。
この場合には、予め、コイル１６が芯部１５ａに巻き付けられたコア１５の両端の各鍔部１５ｂにフランジ３１をそれぞれ取り付ける。このときには、図１３に示すように、コア１５の端部の鍔部１５ｂをフランジ３１の鍔部嵌合穴３１ａに嵌め込むだけで良い。この状態で、コイル１６の巻線１６ａの両端を一対のフランジ３１に設けられた一対の電極パターン２４に半田で接続する。これにより、アンテナ３０が一体化された状態で組立てられてユニット化される。
【００４３】
また、この場合にも、ハウジング２には、予め、回路基板６、時計ムーブメント３、ソーラーパネル７、文字板８、および地板１２を組み付ける。この状態で、アンテナ３０をハウジング２のアンテナ収納部１０内に収納する。このときには、図１２に示すように、アンテナ３０のコア１５の両側にそれぞれ取り付けられた一対のフランジ３１の各電極パターン２４を回路基板６の一対の端子２５に対応させ、この状態で一対のフランジ３１にそれぞれ設けられた第１、第２の各係止部３２、３３間に回路基板６を挟み込みながら、アンテナ３０をハウジング２のアンテナ収納部１０内に収納する。
【００４４】
これにより、アンテ３０の一対のフランジ３１に設けられた一対の電極パターン２４が回路基板６の一対の端子２５に接触した状態で、回路基板６が各フランジ３１の第１、第２の各係止部３２、３３間に挟み付けられる。このため、一対のフランジ３１に設けられた一対の電極パターン２４が回路基板６の一対の端子２５に圧接した状態で、アンテナ３０のコイル１６と回路基板６の一対の端子２５とが電気的に接続される。
【００４５】
このように、この電子腕時計によれば、アンテナ３０が、磁性材料からなるコア１５と、このコア１５に巻回されたコイル１６と、コア１５の両端部に設けられた合成樹脂製のフランジ３１と、このフランジ３１の表面に形成されてコイル１６の巻線１６ａの両端部がそれぞれ接続された一対の電極パターン２４とを備え、この一対の電極パターン２４が回路基板６の一対の端子２５に圧接する構成であるから、実施形態１と同様、ネジなどの別部品としての締結部材を用いずに、アンテナ３０を回路基板６に電気的に接続することができる。
【００４６】
すなわち、このアンテナ３０は、コイル１６が巻回された磁性材料からなるコア１５の両端にそれぞれフランジ３１を設け、この一対のフランジ３１の表面に一対の電極パターン２４を形成し、この一対の電極パターン２４にコイル１６の巻線１６ａの両端部をそれぞれ接続させ、この状態で一対の電極パターン２４を回路基板６の一対の端子２５に圧接させることにより、ネジなどの別部品としての締結部材を用いずに、コイル１６を回路基板６に電気的に接続することができるので、部品点数が少なく、簡単にアンテナ３０を回路基板６に接続することができる。
【００４７】
この場合、フランジ３１は、コア１５の端部の鍔部１５ｂが嵌着する鍔部嵌合穴３１ａを有する構成であるから、コア１５の鍔部１５ｂを鍔部嵌合穴３１ａに嵌着させるだけで、簡単にコア１５の端部に取り付けることができると共に、コイル１６の巻線１６ａの両端部を一対のフランジ３１にそれぞれ形成された一対の電極パターン２４に接続することにより、アンテナ３０をユニット化することができる。このため、コイル１６の巻線１６ａの両端部を一対のフランジ３１にそれぞれ形成された一対の電極パターン２４に接続しても、その接続状態を確実に且つ安定して維持することができるので、接続作業および組立作業の向上を図ることができる。
【００４８】
また、このアンテナ３０の実装構造では、フランジ３１の一対の電極パターン２４を回路基板６の一対の端子２５にそれぞれ接触させた状態で、フランジ３１に、回路基板６の端子２５が形成された面側(図１２では下面側)を係止する第１の係止部３２と、回路基板６の端子２５が形成された面と反対側に位置する面側（図１２では上面側）を係止する第２の係止部３３とを一体に設けた構成であるから、一対の電極パターン２４を回路基板６の一対の端子２５に確実に且つ強固に圧接させることができる。
【００４９】
すなわち、このアンテナ３０の実装構造では、一対の電極パターン２４を回路基板６の一対の端子２５にそれぞれ接触させた状態で、回路基板６を一対のフランジ３１にそれぞれ形成された第１、第２の各係止部３２、３３で挟み付けることにより、一対の電極パターン２４と回路基板６の一対の端子２５とを確実に且つ強固に圧接させることができ、これによりアンテナ３０を回路基板６に簡単に且つ確実に接続することができる。
【００５０】
この場合にも、ハウジング２に一対の押圧部２６を設け、この一対の押圧部２６で一対のフランジ３１の各第１の係止部３２を回路基板６に押し付けて一対の電極パターン２４を一対の端子２５に圧接させるように構成されていることが望ましい。また、地板１２にも、一対のばね部２７を設け、この一対のばね部２７で一対の押圧部２６をそれぞれ第１の係止部３２に押し付ける方向に向けて付勢するように構成されていることが望ましい。このように構成すれば、より一層、一対の電極パターン２４を一対の端子２５に確実に且つ強固に圧接させることができる。
【００５１】
なお、上記実施形態１、２およびその変形例では、コイル１６の巻線１６ａの両端をコア１５の両側に位置する各鍔部１５ｂに延出させた場合について述べたが、必ずしもコイル１６の巻線１６ａの両端をコア１５の両側に位置する各鍔部１５ｂに延出させる必要はなく、コイル１６の巻線１６ａの両端をコア１５の一方側に位置する鍔部１５ｂのみに延出させるように構成しても良い。この場合には、コア１５の両側に位置するアンテナケース１７の一方の端部のみ、またはコア１５の両端部に取り付けられた一対のフランジ３１のうち、一方のフランジ３１のみに、一対の電極パターン２４を形成し、この一対の電極パターン２４にコイル１６の巻線１６ａの両端を半田で接続すれば良い。また、電極パターンは、合成樹脂製のアンテナケース、フランジだけでなく、コアのコイル巻回部を被覆して、コアとコイルとの間に介在される合成樹脂製のボビンに形成してもよい。この場合、ボビンをコア端部まで延長させて、この延長部に電極パターンを形成することが考えられる。
【００５２】
また、上記実施形態１、２およびその変形例では、電子腕時計に適用した場合について述べたが、必ずしも電子腕時計である必要はなく、例えばトラベルウオッチ、目覚まし時計、置き時計、掛け時計などの各種の電子時計に適用することができるほか、必ずしも電子時計である必要はなく、携帯電話機、携帯情報処理機（ＰＤＡ：パーソナル・デジタル・アシスタント）などの各種の電子機器にも広く適用することができる。
【図面の簡単な説明】
【００５３】
【図１】この発明を電子腕時計に適用した実施形態１における時計モジュールを一部破断して示した拡大側面図である。
【図２】図１の時計モジュールを示した拡大裏面図である。
【図３】図２のアンテナを示した拡大平面図である。
【図４】図３のアンテナの拡大正面図である。
【図５】図４のアンテナの拡大裏面図である。
【図６】図４のアンテナのコアおよびコイルを下部ケースのみに収納した状態を示した拡大平面図である。
【図７】図４のアンテナの拡大側面図である。
【図８】図３のＡ−Ａ矢視における拡大断面図である。
【図９】図１のＡ部を示した拡大図である。
【図１０】実施形態１の変形例を示した要部の拡大側面図である。
【図１１】この発明を電子腕時計に適用した実施形態２におけるアンテナの要部を示した拡大斜視図である
【図１２】図１１のアンテナに回路基板を挟み付けた状態を示した拡大側面図である。
【図１３】図１１のＢ−Ｂ矢視における拡大断面図である。
【符号の説明】
【００５４】
１  時計モジュール
２  ハウジング
４、３０  アンテナ
６  回路基板
１０  アンテナ収納部
１５  コア
１５ａ  芯部
１５ｂ  鍔部
１６  コイル
１６ａ  巻線
１７  アンテナケース
１８  上部ケース
１９  下部ケース
２３  接続突起部
２４  電極パターン
２５  端子
２６  押圧部
２７  ばね部
３１  フランジ
３２  第１の係止部
３３  第２の係止部
【図１】
2009188855.tif 000003
【図２】
2009188855.tif 000004
【図３】
2009188855.tif 000005
【図４】
2009188855.tif 000006
【図５】
2009188855.tif 000007
【図６】
2009188855.tif 000008
【図７】
2009188855.tif 000009
【図８】
2009188855.tif 000010
【図９】
2009188855.tif 000011
【図１０】
2009188855.tif 000012
【図１１】
2009188855.tif 000013
【図１２】
2009188855.tif 000014
【図１３】
2009188855.tif 000015